(57)【要約】【課題】本発明は、幕板を取り付けたキャビネットに、天板や引出し、扉を取り付けた後でも、幕板の上下左右の位置を調整可能としたことにより、組立作業性と見た目のよいキャビネットを提供することを目的とする。【解決手段】本発明は、キャビネットの前面にスペーサを介して固定された幕板支持部材と、この幕板支持部材に支持される幕板と、を有するキャビネットにおいて、前記幕板支持部材が前記キャビネットの前面との間にスペーサ分のすき間を有し、前記幕板が上フックと下フックとを有しており、前記上フックが前記すき間に挿入可能なつめを有し、前記すき間に前記上フックのつめが挿入されることにより、前記幕板が前記膜板支持部材に上下左右に可動な状態で支持され、前記下フックが前記幕板支持部材にねじ止めされることによって、前記幕板が所望の位置に固定されるキャビネットである。【選択図】  図２
2008161416.tif 000002
【特許請求の範囲】
【請求項１】
キャビネットの前面に固定された幕板支持部材と、
この幕板支持部材に支持される幕板と、を有するキャビネットにおいて、
前記幕板支持部材が前記キャビネットの前面との間にスペーサとこのスペーサ分のすき間を有し、
前記幕板がその裏面に上フックと下フックとを有しており、
前記上フックが前記すき間に挿入可能なつめを有し、
前記すき間に前記上フックのつめが挿入されることにより、
前記幕板が前記膜板支持部材に上下左右に可動な状態で支持され、
前記下フックが前記幕板支持部材にねじ止めされることによって、
前記幕板が所望の位置に固定されるキャビネット。
【請求項２】
請求項１において、
下フックが垂直部と水平部を有するＬ字形であり、
前記垂直部が幕板の裏面に固定され、
前記水平部がねじ用の開口を有し、
すき間に上フックのつめが挿入された後、
前記下フックが、その水平部の下方からねじ用の開口を貫通するねじにより、
幕板支持部材の下部の端面にねじ止めされるキャビネット。
【請求項３】
請求項１または請求項２において、
下フックが幕板支持部材にねじ止めされる際に、前記ねじの締め具合を調整することによって、前記幕板支持部材に対する幕板の位置が調整されるキャビネット。
【発明の詳細な説明】
【技術分野】
【０００１】
本発明は、キッチンや洗面化粧台に使用するキャビネットに関し、特には、幕板の位置が調整可能なキャビネットに関する。
【背景技術】
【０００２】
キッチン用キャビネットや洗面化粧台では、カウンターに設けられるシンクや洗面ボールの前面には、幕板が取り付けられる。この幕板は、一般に、シンクや洗面ボールの前面を隠し、見た目をよくするために用いられるものである。そして、図８に示すように、キャビネット１の前面に、幕板を支持するための幕板支持部材４を介して、ねじ９等を用いて固定される。
【０００３】
この幕板の取付け構造としては、着脱を容易にするため、キャビネット本体と幕板にコの字型の係止具と係止受具を設け、これらを貫通するねじにより、幕板をキャビネット本体に取り付けるもの（特許文献１）、幕板にＬ字型の支持片と被係止穴を、キャビネット本体にこれを受けるバーと係止軸部を設けたもの（特許文献２）、幕板にこれよりも下方に伸び切欠き部のある金具を、キャビネット本体にこの切欠きに嵌るねじを設けたもの（特許文献３）、幕板に固定ピースを有する幕板固定具を、キャビネット本体に受け具を備え、固定ピースの下側からねじを螺着して凸部を形成し、固定ピースの上辺部を幕板取付け開口部の上辺部に弾接し、幕板をがたつきの発生しない方向に押圧するもの（特許文献４）が知られている。
【特許文献１】特許第３３７７４７３号公報
【特許文献２】実公平８−００３３４４号公報
【特許文献３】特開２００２−２７２５４３号公報
【特許文献４】特開２００６−０４３１３６号公報
【発明の開示】
【発明が解決しようとする課題】
【０００４】
これらの従来技術は、幕板をキャビネット本体に取付け易くしたり、取付け後にも着脱をしやすくすることを目的としたものであり、幕板をキャビネット本体に取り付けた後で、キャビネット本体に対する幕板の位置の調整については、考慮されていなかった。
【０００５】
一方、一般的には、天板と幕板、幕板と引出しの前板や扉との間に、すき間が設けれており、このすき間は、見た目の美しさから、縦方向・横方向に直線かつ平行で、かつ、隙間の大きさは、少なくとも縦方向毎および横方向毎には均一であることが、需要者から強く望まれている。
【０００６】
しかしながら、キャビネットの組立においては、幕板をキャビネット本体に取り付けた後、天板を取付け、その後、引出しや扉を取り付けて組立が行なわれるのが通常である。このとき、天板や引出し、扉を取り付けた後で、はじめて、天板と幕板、あるいは、幕板と引出しの前板、扉との間のすき間が平行でない、あるいは、均一でないということがわかることがある。このような場合は、従来技術では、一旦組み立てた天板や引出し、扉を、分解して、幕板の位置を調整してから、再度、組み立て直す必要があった。
【０００７】
本発明は、このような課題を解決するためになされたものであり、幕板を取り付けたキャビネットに、天板や引出し、扉を取り付けた後でも、幕板の上下左右の位置を調整可能としたことにより、組立作業性と見た目のよいキャビネットを提供することを目的とする。
【課題を解決するための手段】
【０００８】
本発明は、以下のものに関する。
（１）  キャビネットの前面に固定された幕板支持部材と、この幕板支持部材に支持される幕板と、を有するキャビネットにおいて、前記幕板支持部材が前記キャビネットの前面との間にスペーサとこのスペーサ分のすき間を有し、前記幕板が上フックと下フックとを有しており、前記上フックが前記すき間に挿入可能なつめを有し、前記すき間に前記上フックのつめが挿入されることにより、前記幕板が前記膜板支持部材に上下左右に可動な状態で支持され、前記下フックが前記幕板支持部材にねじ止めされることによって、前記幕板が所望の位置に固定されるキャビネット。
（２）  （１）において、下フックが垂直部と水平部を有するＬ字形であり、前記垂直部が幕板の裏面に固定され、前記水平部がねじ用の開口を有し、すき間に上フックのつめが挿入された後、前記下フックが、その水平部の下方からねじ用の開口を貫通するねじにより、幕板支持部材の下部の端面にねじ止めされるキャビネット。
（３）  （１）または（２）において、下フックが幕板支持部材にねじ止めされる際に、前記ねじの締め具合を調整することによって、前記幕板支持部材に対する幕板の位置が調整されるキャビネット。
【発明の効果】
【０００９】
本発明によれば、幕板を取り付けたキャビネットに、天板や引出し・扉を取り付けた後でも、幕板の上下左右の位置を調整可能としたことにより、組立作業性がよく、見た目のよいキャビネットを提供できる。
【発明を実施するための最良の形態】
【００１０】
図１に示すように、本発明に使用するキャビネット１は、その前面に幕板２を備え、この幕板２に隣接する引出しや扉を備えるものであればよく、特に制限はない。例えば、キッチン用キャビネットや洗面化粧台であって、カウンターの天板にシンクや洗面ボールを有し、キャビネット１の前方からこれらが見えないようにして美感を奏するため、キャビネット１の前面に幕板２が設けられ、この幕板２に隣接して引出しや扉を備えたものが挙げられる。
【００１１】
図２に示すように、幕板２は、キャビネット１の前面に、スペーサ３を介して固定された幕板支持部材４によって支持される。スペーサ３は四角形の薄い板であり、まずこれがキャビネット１の前面に貼り付けられる。幕板支持部材４はスペーサ３よりも一回り大きい四角形の板であり、スペーサ３の上に上下左右ともに、スペーサ３よりもはみ出すように、重ねて貼り付けられる。そして、幕板支持部材４とスペーサ３とを重ねた状態で、キャビネット１の前面にねじ９によって固定すると、十分な強度で固定できるため望ましい。このようにして、幕板支持部材４がキャビネット１の前面に、スペーサ３の厚み分のすき間１３を有して固定される。そして、この幕板支持部材４に幕板２が固定される。
【００１２】
図２から図４に示すように、幕板２は、幕板支持部材４よりも一回り大きい四角形の板であり、裏面には幕板支持部材４に固定するための上フック５と下フック６が備えられる。これら上フック５および下フック６はできる限り小型のものが、幕板支持部材４やスペーサ３の厚さを薄くでき、全体をコパクトにできるので望ましい。また、幕板２の大きさは、幕板支持部材４に固定した際、隣接する引出しや扉の前板とのすき間が、引出しと引出しの前板や、引出しと扉の前板の間のすき間と同等となるように設定される。さらに、表面には、隣接する引出しの前板や扉と同様のデザインを施すのが美感を向上する上で望ましい。
【００１３】
図５に示すように、上フック５は、幕板支持部材４に固定可能で、かつ、スペーサ３によって幕板支持部材４とキャビネット１の前面との間に設けられたすき間１３に挿入可能なつめ１０を有している。例えば、コの字形を反時計周りに９０度回転したもので、幕板２の裏面に固定される垂直部１４と、幕板支持部材４の厚み以上の幅の水平部１５と、幕板支持部材４とキャビネット１の前面との間のすき間に挿入されるつめ１０となる垂直部１０を有するものである。そして、上フック５のつめ１０が挿入されると、幕板２は幕板支持部材４に対して、上下左右に可動な状態で支持される。これにより、キャビネット１の天板や引出し、扉を組み立てた後でも、幕板２の位置を上下左右に動かすことが可能である。
【００１４】
図２に示すように、上フック５のつめ１０が、スペーサ３によって幕板支持部材４とキャビネット１の前面との間に設けられたすき間１３に挿入され、幕板２が、幕板支持部材４に対して、上下左右に可動な状態で支持された後に、図７に示すように、下フック６の幕板支持部材４へのねじ止めが行なわれる。
【００１５】
図７に示すように、下フック６は、幕板２の裏面に、ねじ等（図示しない）によって固定可能で、かつ、ねじ８によって幕板支持部材４に固定可能なものである。例えば、図６に示すように、Ｌ字形の形状のもので、幕板２の裏面に固定される垂直部１６と、幕板支持部材４の下部の端面にねじ止めされる水平部１７とを有するものである。水平部１７は、ねじ用の開口１２を有し、この水平部１７の下方からねじ用の開口１２を貫通するねじ８により、幕板支持部材４の下部の端面にねじ止めされる。
【００１６】
図７に示すように、下フック６の水平部１７に設けられたねじ用の開口１２は、ねじ溝が形成されていないものとする。また、上述したように、ねじ８は、下フック６の水平部１７のねじ用の開口１２を、水平部１７の下方から上方へ向けて貫通した後、幕板支持部材４の下部の端面に、ねじ止めされる。このため、ねじ８のねじ山を有する部分１９は、下フック６の水平部１７に設けられたねじ用の開口１２に螺合することなく、フリーの状態で貫通することができる。一方、ねじ８のヘッド１８の部分は、その径が、下フック６の水平部１７に設けられたねじ用の開口１２の径よりも大きくなっており、このねじ８のヘッド１８の部分と下フック６の水平部１７のねじ用の開口１２とが引っかかることになる。
【００１７】
このように、ねじ８のヘッド１８の部分と下フック６の水平部１７のねじ用の開口１２とが引っかかった状態で、ねじ８のねじ山を有する部分１９の先端を、幕板支持部材４の下部の端面に突き当て、ねじ８を締める方向（通常は、時計方向）に回す。そうすると、ねじ８のねじ山を有する部分１９が、幕板支持部材４の下部の端面に食い込んでいく。そして、ねじ８のねじ山を有する部分１９は、ねじ８を締めれば締めるほど深く食い込んでいくが、下フック６の水平部分１７のねじ用の開口１２がねじ８のヘッド１８に引っかかっているため、下フック６が固定されている幕板２自体も上方に移動することになる。
【００１８】
反対に、一旦締めたねじ８を、ねじ８を緩める方向（通常は、反時計方向）に回すと、ねじ８のねじ山を有する部分１９の幕板支持部材４への食い込みの深さが浅くなる。そして、これとともに、下フック６の水平部分１７のねじ用の開口１２がねじ８のヘッド１８に引っかかっているため、下フック６が固定されている幕板２自体も下方に移動することになる。
【００１９】
以上のように、下フック６が幕板支持部材４にねじ止めされる際に、前記ねじ８の締め具合を調整することによって、前記幕板支持部材４に対する幕板２の位置が調整される。さらに、下フック６を幕板２の中央に対して、左寄りと右寄りの２箇所以上に設けた場合は、下フック６のねじ８の締め具合によって、幕板２の高さの調整を行うことができるとともに、左寄りと右寄りの下フック６のねじ８の締め具合を変えることにより、幕板２の角度を調整することができる。
【００２０】
これにより、幕板２を取り付けたキャビネット１に、天板や引出し・扉を取り付けた後で、幕板２と引出しや扉の前板とのすき間が同程度でなかったり、斜めになっていたりしていることがわかった場合に、引出しや扉を開けて幕板支持部材４の下部の端面を露出させ、下フック６の水平部分１７のねじ８の締め具合を調整することで、上記の各すき間を調整することができる。このため、天板や引出し、扉を全部分解する必要がないので、組立作業性がよく、見た目のよいキャビネット１を提供できる。
【実施例】
【００２１】
図１は、本発明に係るキャビネットの実施例であり、前面に幕板２を備え、この幕板２に隣接して引出し７を備えたキャビネット１の斜視図を示す。
【００２２】
図２に示すように、幕板２は、キャビネット１の前面に、スペーサ３を介して固定された幕板支持部材４によって支持した。スペーサ３は、四角形の薄い板であり、まずこれをキャビネット１の前面に貼り付けた。幕板支持部材４はスペーサ３よりも一回り大きい四角形の板であり、図２のようにして、スペーサ３の上に上下左右ともに、スペーサ３よりもはみ出すように、重ねて貼り付けた。そして、この幕板支持部材４とスペーサ３を重ねた状態で、ねじ９により、キャビネット１の前面に固定した。このようにして、図２に示すように、幕板支持部材４をキャビネット１の前面に、スペーサ３分のすき間１３を有して固定し、この幕板支持部材４に幕板２を固定した。
【００２３】
図３に示すように、幕板２には、幕板支持部材４よりも一回り大きい四角形の板を用い、図４に示す幕板支持部材４に固定するため、裏面には上フック５と下フック６を備えた。
【００２４】
図５に示すように、上フック５は、幕板２の裏面に固定される垂直部１４と、幕板支持部材４の厚み以上の幅の水平部１５と、幕板支持部材４とキャビネット１の前面との間のすき間１３に挿入されるつめ１０となる垂直部１０を有するコの字形の金属性のフックを使用した。このような上フック５を使用することにより、幕板２は幕板支持部材４に対して、上下左右に可動な状態で支持され、キャビネット１の天板や引出し、扉を組み立てた後でも、幕板２の位置を上下左右に動かすことが可能となった。
【００２５】
本実施例に使用した下フック６は、図６に示すように、Ｌ字形の形状のもので、幕板２の裏面に固定される垂直部１６と、幕板支持部材４の下部の端面にねじ止めされる水平部１７とを有し、幕板２の裏面に固定可能で、かつ、ねじ８によって幕板支持部材４に固定可能なものを用いた。水平部１７は、ねじ用の開口１２を有するため、図７に示すように、この水平部１７の下方からねじ用の開口１２を貫通するねじ８により、幕板支持部材４の下部の端面にねじ止めが可能となった。
【００２６】
本実施例では、図２に示すように、上フック５のつめ１０を、スペーサ３により設けられた、幕板支持部材４とキャビネット１の前面との間のすき間１３に挿入した後に、下フック６を幕板支持部材４へねじ止めした。
【００２７】
図７に示すように、ねじ８のねじ山を有する部分１９は、下フック６の水平部１７に設けられたねじ用の開口１２に螺合することなくフリーの状態で貫通するようにした。また、ねじ８のヘッド１８の部分が、下フック６の水平部１７のねじ用の開口１２に引っかかるように、下フック６の水平部１７のねじ用の開口１２の径が、ねじ８のねじ山を有する部分１９の径よりも大きく、ねじ８のヘッド１８の部分の径よりも小さい下フック６を用いた。
【００２８】
このように、ねじ８のヘッド１８の部分と下フック６の水平部１７のねじ用の開口１２とが引っかかった状態で、幕板支持部材４の下部の端面にねじ８を締める方向（時計方向）に回すと、ねじ８のねじ山を有する部分１９が、幕板支持部材４の下部の端面に食い込んでいき、下フック６の水平部分１７のねじ用の開口１２がねじ８のヘッド１８に引っかかっているので、下フック６が固定されている幕板２自体も上方に移動した。
【００２９】
また、一旦締めたねじ８を、ねじ８を緩める方向（反時計方向）に回すと、ねじ８のねじ山を有する部分１９の幕板支持部材４への食い込みの深さが浅くなり、下フック６の水平部分１７のねじ用の開口１２がねじ８のヘッド１８に引っかかっているため、下フック６が固定されている幕板２自体も下方に移動した。
【００３０】
この下フック６に対するねじ８の締め具合を調整することにより、図７に示すように幕板２の高さの調整を行うことができた。また、本実施例では、幕板２の中央に対して、左寄りと右寄りの位置に配置した４つの下フック６を用いた。このことにより、それぞれの下フック６のねじ８の締め具合を調整することで、幕板２の角度を調整することができた。
【図面の簡単な説明】
【００３１】
【図１】実施例のキャビネットの斜視図である。
【図２】実施例のキャビネットの幕板を取り付けた部分の断面図である。
【図３】実施例に使用した幕板の裏面に、上フックおよび下フックを取付けた状態を表す斜視図である。
【図４】実施例のキャビネットに、幕板支持部材を取付けた状態を表わす斜視図である。
【図５】実施例に使用した上フックの詳細図である。
【図６】実施例に使用した下フックの詳細図である。
【図７】実施例のキャビネットの下フックの水平部の下から、ねじ用の開口を通して、ねじをねじ込む様子を表わす詳細図である。
【図８】従来例のキャビネットの幕板の取付け状態を表わす断面図である。
【符号の説明】
【００３２】
１    キャビネット
２    幕板
３    スペーサ
４    幕板支持部材
５    上フック
６    下フック
７    引出し
８    ねじ
９    ねじ
１０    つめ（垂直部）
１１    ねじ孔
１２    ねじ用の開口
１３    すき間
１４    垂直部
１５    水平部
１６    垂直部
１７    水平部
１８    ヘッド
１９    ねじ山を有する部分
【図１】
2008161416.tif 000003
【図２】
2008161416.tif 000004
【図３】
2008161416.tif 000005
【図４】
2008161416.tif 000006
【図５】
2008161416.tif 000007
【図６】
2008161416.tif 000008
【図７】
2008161416.tif 000009
【図８】
2008161416.tif 000010